Podtech/llm-jp-corpus-v4-ja_patent huggingface dataset:
(57)【要約】      （修正有）【課題】濡れた髪の毛を乾かす時、ヘアードライヤーなどの熱風を、直接髪の毛に当てることにより、髪の毛が熱によって損傷を受けていた。また、濡れた髪の毛を乾かす時、乾かすことと同時に髪の毛の癖付けを短時間で容易にすることが出来なかった。上記に対応するため、濡れた髪の毛を円柱形底辺半円かごの内部に納め、かごの外側から暖めることにより、余分な水分の蒸散も少なく、また髪の毛を乾かしながら、髪の毛の癖付けを容易にすることが出来る円柱形底辺半円かごを提供する。【解決手段】濡れた髪の毛を乾かす時に、円柱形底辺半円かご３の取っ手１を片手で持ち、髪の毛を円柱形底辺半円かご３の開口部２より、髪の毛の先端付近を折り曲げて円柱形底辺半円かご３底部に納める。逆の手でヘアードライヤーを作動させ、円柱形底辺半円かご３の底部に熱風を当てる。髪の毛が乾いたら、開口部２より外に出す。【選択図】    図１
2006204838.tif 000002
【特許請求の範囲】
【請求項１】
円柱形底辺半円かごの側面に取っ手を設け、そのかごの内側底部へ髪の毛を折り曲げて入れ、円柱形底辺半円かごの底部付近を外側からヘアードライヤーなどで暖めることにより、内側にある髪の毛を乾かすことを特徴とする髪の毛乾かしかご。
【発明の詳細な説明】
【技術分野】
【０００１】本発明は、濡れた髪の毛をヘアードライヤーなどで乾かす時に、円柱形底辺半円かごの内側底部に濡れた髪の毛を納め、そのかごの外側からヘアードライヤーなどで底部付近を暖めることにより、内側に納められた濡れた髪の毛を乾かすことを特徴とする髪の毛乾かしかごに関するものである。
【背景技術】
【０００２】従来、濡れた髪の毛を乾燥させる器具としては、ヘアードライヤー等があるが、必ずしも消費者のニーズを満足させられていなかった。
【発明の開示】
【発明が解決しようとする課題】
【０００３】そのために、次のような問題点があった。
（イ）濡れた髪の毛を乾かす時、ヘアードライヤーなどの熱風を、直接髪の毛に当てることのより、髪の毛が熱によって損傷を受けていた。
（ロ）濡れた髪の毛を乾かす時、乾かすことと同時に短時間で容易に髪の毛の癖付けをすることが出来なかった。
本発明は、これらの問題点を解決するためになされたものである。
【問題を解決するための手段】
【０００４】円柱形底辺半円かごの側面に取っ手を設け、そのかごの内側底部へ髪の毛を折り曲げて入れ、円柱形底辺半円かごの底部付近を外側からヘアードライヤーなどで暖めることにより、内側にある髪の毛を乾かすことを特徴とする髪の毛乾かしかご。
【発明の効果】
【０００５】濡れた髪の毛をヘアードライヤーなどで乾かす時、直接髪の毛に熱風を当てることなく、円柱形底辺半円かごを暖めることにより内側にある髪の毛を乾かすため、余分な水分の蒸散も少なく、また、円柱形底辺半円かごの内側へ、髪の毛を納める形により、髪の毛を乾かしながら、髪の毛の癖付けを容易にすることが出来る。
【発明を実施するための最良の形態】
【０００６】本発明は、円柱形底辺半円かごをヘアードライヤーなどで暖めることにより、内側に納められた濡れた髪の毛を乾かす。それを図面について説明すれば、片手で１取っ手を持ち、３円柱形底辺半円かごの２開口部より、髪の毛の先端付近を折り曲げて３円柱形底辺半円かご底部に納める。逆の手でヘアードライヤーを作動させ、３円柱形底辺半円かご底部付近に外側から熱風を当てる。その時、１取っ手を持っている手を小刻みに揺すると乾かし時間の短縮につながる。髪の毛が乾いたら、２開口部より外に出す。
【図面の簡単な説明】
【０００７】
【図１】本発明の側面透視図
【図２】本発明の平面図
【符号の説明】
【０００８】  １  取っ手
２  開口部
３  円柱形底辺半円かご
【図１】
2006204838.tif 000003
【図２】
2006204838.tif 000004
(57)【要約】【課題】屋外でキャンプ、お花見等で使用する座卓が、持ち運びが楽で、組立が簡単で、ダンボール、厚紙を使用し、２〜３回の使用で持ち帰りあるいは廃棄処分できる軽量で安価な座卓を提供する。【解決手段】座卓表面の平滑な表板の裏面に座卓起立保持の脚の役目をする図型の切り込み加工を施した裏板を必要接着箇所のみ接着剤で貼りあわせる。平滑な表板は飲食物を置くテーブルの役割をし、裏板は逆二等辺三角形に組むことで座卓の起立保持の脚に利用できる。ダンボーール、厚紙等の数回使用後廃棄処分も出来る軽量で、持運び組立が出来価格も安価なことを特徴とする屋外携帯折りたたみ式パネル座卓である。【選択図】  図１
2006204833.tif 000002
【特許請求の範囲】
【請求項１】
座卓の表面が平滑である表板と、その表板の裏面には座卓の起立保持の脚を組み立てるための加工を施した裏板を貼り合せた合板で構成されていることを特徴とする屋外携帯用折りたたみ式パネル型座卓。
【請求項２】
合板はあらかじめ長手方向の中央部より２つ折りに閉じる事の出来る折り目加工を設け、２つ折に閉じる事によりコンパクトな  板にして、携帯・移動・保管する事を特徴とする請求項１記載の屋外携帯用折りたたみパネル式座卓。
【請求項３】
貼り合わされた合板の裏板には座卓の足の役目をする図形の切り込み加工を施す、その脚となる図形の面部分は表板の裏面に接着させずに折り返し、組立出来るようにする。それ以外の面部分は座卓表面の表面の裏側に接着、固定することを特徴とする請求項１〜２記載の屋外携帯用折りたたみ式パネル型座卓。
【請求項４】
座卓の表板の裏側に接着していない裏板の図形の面部分を、地面側に折り返し、組み立照ると横長で逆二等辺三角形の脚が右、左、中央の３箇所に備わるため、水平で安定性のある座卓である事を特徴とする請求項１〜３記載の屋外形態用折りたたみ式パネル座卓。
【請求項５】
使用後は脚を元の切り込み部位に折りたたむ事により、裏板に全て元通り収納でき、２つ折りの板が開かないように表板のベロの雄型と裏側の差込口の雌型を設け、ベロを差込口に差し入れる事により止め具の役割をすることを特徴とする請求項１〜４記載の屋外携帯用折りたたみ式パネル座卓。
【発明の詳細な説明】
【技術分野】
【０００１】  本発明は、屋外で使用する携帯型折りたたみ式の座卓に関するものである。
【背景技術】
【０００２】  従来、屋外で使用する携帯用テーブルの類は、椅子に座る形式のものが多く、座卓形式の類はあまり見受けられない、それらは屋外用のため強固で頑丈で耐久性のある家財とも言えるものであり、携帯用とはいえ片手や指に摘んで簡単に持ち運び出来る物では無く、かなりの重量があり、不便であり、使用後も保管のための掃除も必要であった。その例として、特開平１０−１６５２２９号、特開平１１−１７８６４５号等がある。
【発明の開示】
【発明が解決しようとする課題】
【０００３】  それには次のような問題点があった。
（イ）携帯折たたみ式のダンボール、厚紙を使用した座卓はなかった。
（ロ）軽く持ち運びが楽で安価な座卓はなかった。
（ハ）ダンボール、厚めの再生紙等の材質で廃棄処分も容易な組み立て式の座卓はなかった。
本発明は、以上の問題点を解決するためのものである。
【発明を解決するための手段】
【０００４】  本発明は、その欠点を解決するために成された物であり、従来品のような耐久性は必要とせず、ピクニック・お花見等で数回使用後に破棄処分しても良い座卓である。その為、特に材質は問わないがダンボール板や厚めの再生紙など軽量で安価の比較的破棄処分をし易い素材が好ましく、その構成は表板（２）と切り込みの入った裏板（３）を接着必要箇所を接着剤等で貼り合せ合板（４）を設ける。その合板を長手方向中心部で２つ折に折り曲げベロ（７）を差込口（８）に差込み固定する。
使用する時は、ベロ（７）を差込口から取り出し、合板（４）を開き、裏板（３）の切り込み部を開き、３箇所の逆二等辺三角形の脚を組み立て座卓にし使用する。
【発明の効果】
【０００５】  従来、屋外でのピクニック・お花見等ではビニール敷物の上に、直接飲食物を置き、食事、お茶、酒を飲んでおり、見た目にも不衛生で良くなかった。
本発明の座卓は持ち運びが楽であり、組み立ても簡単で屋外の食卓としての機能は充分に果たせる。座卓のベロの雄型を他の座卓差込口（８）の雌型に差し込むことにより、複数の座卓を連結することも可能であり、参加人数に合わせて座卓の数を増やし並べれば、食卓面積も多くなり、横長・コの字型等に広げてバリエーションを楽しめる。
折りたたむと軽量でシンプルなパネル形状になり携帯・保管に便利である。使用後は持ち帰りや破棄処分が楽である。又座卓表面に広告掲載する事により広告媒体の役割も付加できる効果が期待できる。
【発明を実施するための最良の形態】
【０００６】  以下、本発明の実施の形態を説明する。
それを図面について説明すれば、座卓（１）に座卓表面が平滑である表板（２）を設け、その表板（２）の裏面には座卓起立保持の脚の役目をする図型の切り込み加工を施した裏板（３）を設け、表板（２）に裏板（３）を接着必要箇所等を接着剤で貼り付け、合板（４）を設ける。裏板（３）に収納されている脚の図形の切り込み形を、地面側に折り返し組み立てると、図（１）のように横長で逆二等辺三角形の脚（５）が右。左．中央の３箇所に備わるため、水平で安定のある座卓（１）となる。座卓（１）を携帯・保管する場合は、裏板（３）の切り込み部位に折り戻し、更に表板（２）と裏板（３）の合板（４）を中央より２つ折りにする事により、図（８）ように縮小したパネル板（６）の形状となる。２つ折の板が開かないように表板（２）にベロ（７）の雄型と裏板（３）の差込口（８）の雌型を設け、ベロ（７）を差込口に差し入れることにより、止め具の役割をする。
本発明は、以上の構成よりなっている。
これを使用する時は、座卓（１）の止め具であるベロ（７）を引き出し、２つ折の合板（４）を開き広げる。そして、裏板（３）の切り込み部位を開き逆三角形の脚を３箇所設け座卓（１）を組み立てる。座卓表面の平滑な表面（２）は飲食物を置くことを役割とし、裏面（３）は座卓の起立保持の脚の役割のためにある。
【図面の簡単な説明】
【０００７】
【図１】本発明の使用状態を示す斜視図
【図２】本発明の平面図
【図３】本発明の正面図
【図４】本発明の左側面図
【図５】本発明の右側面図
【図６】本発明の底面図
【図７】本発明の合板の接着図
【図８】本発明の折りたたみ状態図
【符号の説明】
【０００８】１  座卓
２  表板
３  裏板
４  合板
５  逆二等辺三角形の脚
６  パネル板
７  ベロ
８  差込口
【図１】
2006204833.tif 000003
【図２】
2006204833.tif 000004
【図３】
2006204833.tif 000005
【図４】
2006204833.tif 000006
【図５】
2006204833.tif 000007
【図６】
2006204833.tif 000008
【図７】
2006204833.tif 000009
【図８】
2006204833.tif 000010
(57)【要約】【課題】家庭料理をする際、鍋の温め直しやガス代・電気代の節約のために新聞紙やバスタオル等で包んでいた行為のわずらわしさや火傷の危険性を解消するために鍋用の保温カバーを提供する。【解決手段】丸くカットした表布１の周りにゴム４を通す。また、表布１と裏布２を縫い合わせ、その間にアルミシート３などの保温材を間に入れ周りにゴム４を通すとさらに保温性が高めることもできる。【選択図】図１2006204865.tif 000003
2006204865.tif 000002
【特許請求の範囲】
【請求項１】
鍋を火から下ろして布地で作成したカバーをかぶせることにより、保温性を高めることができる。また、布地と布地の間にアルミシートを内蔵することにより、さらに保温性を高めることもできる。
ふち等に、ゴムを使用することにより簡単に取付け取外しができ、大小格差ある鍋を包み込んで長時間保温することを可能にした。
【発明の詳細な説明】
【発明の詳細な説明】
【技術分野】
【０００１】本発明は、鍋を火から下ろしても長時間保温が保てるよう布地を鍋に包み込みかぶせることにした。また布地と布地の間にアルミシートを内蔵することにより、さらに保温性を高めることもできる。それにより、ガス代又は電気代の節約ができ、安全かつ簡単に取付け取外しを可能にしたものである。
【背景技術】
【０００２】従来は、ガス代又は電気代の節約の為に新聞紙やバスタオル等で鍋を包み込んで保温していた。
【発明が解決しようとする課題】
【０００３】家庭料理をする際、特に寒い冬などは料理を温め直したり、ガス代又は電気代を節約する為に料理を十分に煮込まなくても新聞紙やバスタオルで鍋を包み込むことにより料理が仕上がるよう工夫していた。
さらに、熱い鍋を包み込む作業は、わずらわしさや火傷の危険性があるという難点があった。本発明は、この課題を解消するためになされたものである。
【課題を解決するための手段】
【０００４】丸くカットした表布１の周りにゴム４を通す。
また、表布１と裏布２を縫い合わせてその間にアルミシート３を内蔵させることにより布地のみよりも更に保温性をアップさせることもできる。大小格差ある鍋５に対応できるよう、周りにゴム４を使用する。これにより鍋５に簡単に装着できるうえ、完全に包み込むことができる。
収納する時は、折り畳めるのでコンパクトにもなる。
【発明を実施するための最良の形態】
【０００５】以下、本発明の実施の形態について説明する。
（イ）丸くカットした表布１の周りにゴム４を通す。
（ロ）また保温性をより高めるため表布１と裏布２を縫い合わせ、表布１と裏布２の間にアルミシート３を内蔵させることもできる。
（ハ）表布１と裏布２の縫い合わせた周りにゴム４を通す。
（ニ）アルミシート３がすその方で重なるようならば、山切りにアルミシートのすそをカットしてもよい。
（ホ）上記（イ）から（ニ）による鍋用保温カバーを図３に示すように、鍋５の上からかぶせて使用する。
【発明の効果】
【０００６】保温効果において保温カバー無し、保温カバー有りとアルミ内蔵型保温カバーの３種類に分け実験をしたところ、歴然とした保温効果が見られた。室温２０℃の環境において、土鍋に１リットルの水を１００℃に沸騰させ時間経過による保温実験を開始。わずか３０分経過後、保温カバー無しは約６３℃であるのに対し、保温カバー有りは約７８℃、アルミ内蔵型保温カバーは約８４℃とカバー付きは８０℃前後を保ってる。
１時間後には、保温カバー無しは約４７℃、保温カバー有りは約６５℃、アルミ内蔵型保温カバーは約７２℃である。
この結果により鍋を保温カバー無しで３０分放置すると温め直しをしなければならない為、ガス代又は電気代がかかるが、これらを節約できる。家庭料理の代表であるカレーやおでんの場合は、１時間煮込まなくても３０分程で火を止めて保温カバーを使用すれば具に味が染み込み、時間をかけなくても料理が出来上がる。
さらに保温カバーのふちにゴムを使用したことにより取付け取外し作業が簡単にでき、多少大きさの違いのある鍋でも対応できる点である。
【図面の簡単な説明】
【図１】本発明の断面図である。
【図２】本発明の真上図である。
【図３】本発明の使用状況を示す断面図である。
【符号の説明】
１  表布
２  裏布
３  アルミシート
４  ゴム
５  鍋
【図１】
2006204865.tif 000004
【図２】
2006204865.tif 000005
【図３】
2006204865.tif 000006
(57)【要約】【課題】  鍋より掬い取った煮汁を容器１の中へ入れ、灰汁や脂肪分が表面に浮くのを待ち純粋の煮汁のみを鍋に戻して灰汁及び脂肪分を取り除く装置。【解決手段】  鍋より掬い取った煮汁の入った容器１を鍋の上で傾けることにより、図１に示す煮汁の表面Ａ−Ｂ線がＣ−Ｄ線に移動すると同時にその一部が開口部２を通って鍋の中へこぼれ出る。容器１を透明な素材で作る等灰汁や脂肪分の状況を把握することが出来る構造としてこぼれ出る量を加減すると、灰汁及び脂肪分を残し純粋な煮汁のみを鍋の中に戻すことが出来る。  この作業は開口部２に栓を設けて行うこともできる。【選択図】        図１
2006204864.tif 000002
【特許請求の範囲】
【請求項１】
容器１の横に開口部２を設け、容器１内に満たされた液体はパイプを通じて開口部２に達することが出来る構造の灰汁分離器（図１）。
【請求項２】
容器１の下部に開閉することができる開口部２を有する灰汁分離器（図２）。
【請求項３】
開閉することができる開口部２を設けたキャップ（図３）。
【発明の詳細な説明】
【発明の詳細な説明】
【技術分野】
【０００１】  本発明は煮物の灰汁を取り除くときに余分に掬い取った煮汁も共に捨てなければならないことを防止する為に、灰汁を分離して取り除き煮汁を有効に利用することに関する。
【背景技術】
【０００２】  従来、灰汁を取り除くには吸着性のある材質の物体に灰汁を吸着させて処分するか杓子や網等で掬い取って捨てるが、掬い取り過ぎた煮汁の処置については鍋の中に装置された特別な部分に戻す（特許公開２００１−９５６７７）方法があった。
【発明が解決しようとする課題】
【０００３】  灰汁を吸着させて取り除く方法では充分な取り除きの効果がなく、煮汁を返す方法については鍋の中に特別な装置を設置する必要があった。
【課題を解決するための手段】
【０００４】  本発明においては、掬いすぎた煮汁を鍋に返す前に灰汁を分離し、純粋な煮汁のみを鍋に戻して利用するものである。
【発明を実施するための最良の形態】
【０００５】  発明の実施の形態を実施例に基づき図面を参照して説明する。
図１において、鍋から掬った灰汁入りの煮汁を容器１に注ぎ入れるが煮汁の分量をＡ−Ｂ線以下に止める。汁が納まり灰汁が表面に浮かぶのを待って容器１を鍋の上で傾けると煮汁の表面はＣ−Ｄ線に移動し煮汁の一部は開口部２を通って鍋の中へこぼれ出る。更に傾けを続けるが、容器１の透明な材質を通して見える灰汁の状況を把握しながら灰汁の混じらない部分のみを鍋に戻し、上部に浮かんだ灰汁は廃棄する。【０００６】  図２において鍋から掬った灰汁入りの煮汁を容器１に注ぎ入れ、汁が納まって灰汁が表面に浮かぶのを待ちハンドル４を操作して栓３を開け開口部２を経由して煮汁を鍋に戻す。その際、容器１の透明な材質を通して見える灰汁の状況を把握しながら灰汁の混じらない部分のみの戻し汁に止め、上部に浮かんだ灰汁は廃棄する。【０００７】  図３はハンドル４により開閉が可能な栓３を設けたキャップであるが、このキャップの螺子はペットポトルの口の螺子に合わせてあるので廃品のペットポトルを図２の容器１と同様に切断して灰汁分離器を作成し、使い捨て器具として利用することが出来る。
【実施例】
【０００８】  本発明器具により灰汁を分離して灰汁取りをすることができるが、脂肪分の混ざった煮汁を注ぎ入れた場合には同じ方法で表面に浮いた脂肪分を分離処分することができ、ヘルシーな煮汁を作ることができる。
【図面の簡単な説明】
【図１】  液体が曲がったパイプを通じて開口部２に達することが出来る構造の灰汁分離器の縦断面図である。
【図２】  ハンドル４により開閉が可能な栓３を備えた灰汁分離器の縦断面図である。
【図３】  ハンドル４により開閉が可能な栓３を設けたキャップである。
【符号の説明】
１      容器
２      開口部
３      栓
４      ハンドル
【図１】
2006204864.tif 000003
【図２】
2006204864.tif 000004
【図３】
2006204864.tif 000005
(57)【要約】【課題】中心静脈栄養用皮下埋め込み式ポートにおける、ノンコアリングウイングニードルの抜針時には、針刺し事故を起こしてしまう危険性がある。本発明は、そのような針刺し事故を防止するためになされた。【解決手段】ノンコアリングウイングニードル（６）の抜針時に、中心静脈栄養用皮下埋め込み式ポート（５）を、従来の手指ではなく、本発明（１〜４）にて固定する。本発明（１〜４）により、手指は針から充分に遠い距離となり、針刺し事故が防止できる。【選択図】図２
2006204862.tif 000002
【特許請求の範囲】
【請求項１】
中心静脈栄養用皮下埋め込み式ポートにおける、ノンコアリングウイングニードルの抜針時に、中心静脈栄養用皮下埋め込み式ポートを固定する器具。
【発明の詳細な説明】
【発明の詳細な説明】
【技術分野】
【０００１】  本発明は、医療（主に在宅医療）に利用されている、中心静脈栄養用皮下埋め込み式ポートに関するものである。
【背景技術】
【０００２】  従来、ノンコアリングウイングニードルの抜針時には、消毒をした左手（右利きの場合、以下同様）の親指と人差し指とで、中心静脈栄養用皮下埋め込み式ポートを固定していた。
【発明が解決しようとする課題】
【０００３】  従来の方法では、左手では下方向（ポート側）へ押さえる力が必要である。又ノンコアリングウイングニードルを持つ右手の親指と人差し指には、抜針の為の上方向（ポート反対側）への力が必要である。ポートのセプタム（針を刺す所）は圧縮されたシリコンゴムで出来ており、硬い。そのため、抜針には強い力が必要とされ、抜針の反動にて左手に針刺しを起こしてしまう危険性があり、実際そのような針刺し事故が多数報告されている。本発明は、そのような針刺し事故を防止するためになされたものである。
【課題を解決するための手段】
【０００４】  ノンコアリングウイングニードルの抜針時に、中心静脈栄養用皮下埋め込み式ポートを器具にて押さえる。この器具により、左手は針から充分に遠い距離となり、針刺し事故が防止できる。
【発明を実施するための最良の形態】
【０００５】  器具は薄い円形部（１）と、左手で保持する部分（２）と、その２つをつなぐ連結部（３）から構成されている。器具の円形部（１）には、針が円形部の中心に来ることが出来るように、細い線状の切り込み（４）が入っている。  中心静脈栄養用皮下埋め込み式ポート（５）から、ノンコアリングウイングニードル（６）抜針時の器具使用法について以下に説明する。  ▲１▼左手で器具の保持部（２）を持ち、円形部（１）における細い線状の切り込み（４）を利用し、中心静脈栄養用皮下埋め込み式ポート（５）に刺さっているノンコアリングウイングニードル（６）が円形部（１）の中心に来るように動かす。▲２▼左手で器具の保持部（２）を下方向（ポート側）に押さえる。この時、円形部（１）が中心静脈栄養用皮下埋め込み式ポート（５）を押さえる様に力を入れる。▲３▼右手（親指と人差し指）でノンコアリングウイングニードル（６）を持ち、上方向（ポート反対側）の力を入れ抜針する。
【発明の効果】
【０００６】  この器具を抜針時に使用することにより、左手は針から充分に遠い距離となり、針刺し事故が防止できる。針刺し事故は、単に外傷としてよりも、肝炎ウイルス・ＡＩＤＳ等の感染症の危険性があり、出来うる限り起こしてはならない医療事故である。本発明により、訪問診療・訪問看護を行う医師・看護師、在宅にて患者の看病をする患者家族の針刺し事故の防止が期待できる。
【図面の簡単な説明】
【０００７】
【図１】本発明の斜視図
【図２】本発明の使用時の図
【符号の説明】
（１）円形部、（２）保持部、（３）連結部、（４）細い線状の切り込み、（５）中心静脈栄養用皮下埋め込み式ポート、（６）ノンコアリングウイングニードル
【図１】
2006204862.tif 000003
【図２】
2006204862.tif 000004
(57)【要約】      （修正有）【課題】歯科補綴物及び歯槽骨内埋設物によって、対象者の所在位置確認を２４時間何時でも出来る様にし、また、識別暗号を記録しておいて本人識別を可能にすること。【解決手段】超極小（ナノ）発信機を取り付けた歯科補綴物（クラウン、ブリッヂ、義歯）及び歯槽骨内埋設物をセットしておいて、更に歯科補綴物（クラウン、ブリッヂ、義歯）及び歯槽骨内埋設物に超極小（ナノ）マイクを取り付けておいて対象者の口を通して２４時間何時でも外部から情報発信又情報受信出来る様にする。【選択図】なし【特許請求の範囲】
【請求項１】
１、「超極小発信機を取り付けておいて対象者の所在位置確認を２４時間何時でも出来る様にする又本人識別も出来る識別暗号も埋め込んでおく」と言う
「歯科補綴物（クラウン、ブリッヂ、義歯）及び歯槽骨内埋設物」に対して特許を請求します。
２、「超極小マイクを取り付けておいて対象者の口を通して２４時間何時でも外部から情報発信又情報受信出来る様にする」と言う
「歯科補綴物（クラウン、ブリッヂ、義歯）及び歯槽骨内埋設物」に対して特許を請求します。
【発明の詳細な説明】
【手続補正書】
【提出日】平成17年3月26日(2005.3.26)
【手続補正１】
【補正対象書類名】明細書
【補正対象項目名】全文
【補正方法】変更
【補正の内容】
【書類名】明細書【発明の名称】ナノ発信補綴物【技術分野】【０００１】通信工学分野【０００２】歯科補綴学分野
(57)【要約】【課題】人体の穴の内部などを洗浄する為に穴を押し開いて内部や奥を洗浄するに適した穴押し開き機能付きシャワーノズルを提供する。【解決の手段】ノズル本体（４）の先端に押し開きリング（２）内部にノズル先端（１）下部に給湯口（５）を設けることを特徴とする。【選択図】図１
2006204866.tif 000002
【特許請求の範囲】
【請求項１】
押し開き機能付きシャワーノズル本体（４）の先端に押し開きリング（１）少し内側にシャワーノズル先端（１）そのほかに給湯口（５）を設けた押し開き機能付きシャワーノズル
【発明の詳細な説明】
【発明の詳細な説明】
【技術分野】
【０００１】この発明は人体などの穴などを押し開いてその内部や奥を洗浄するシャワーノズルに関するものである。
【背景技術】
【０００２】従来は吹き付け洗浄機能を有するものはあった。
【発明が解決しようとする課題】
【０００３】これには次のような欠点があった。本発明はこの欠点を除く為になされたものである。
【課題を解決する為の手段】
【０００４】単なるシャワーによる洗浄装置ではなくて先端に穴を押し開きする能力のあるリングを設け、シャワーノズル本体（４）給湯口（５）手持ちハンドル（６）を設けた押し開き機能付きシャワーノズルである。
【発明を実施するための最良の形態】
【０００５】以下本発明の実施の形態について説明する．シャワーノズル本体（４）の内部には穴押し開きリング（２）を設け、それよりやや内部にはシャワーノズルの噴出口（１）を設ける。下部には給湯口と本体全体を操作する為のハンドル（６）を設ける。
本発明は以上のような構造でこれを使用するときは給湯口（５）より給湯してノズルの先端（１）から湯を吹き付けつつ押し開きリング（２）を穴に押し付けて徐々に押し開いて穴内部へ押し込んでいく．その間もノズルからお湯が噴出している為に穴内部の固形物などは洗い流されて本体（４）内を落下する。手持ちハンドル（６）を操作することにより操作者は汚物などの落下を手に受けることを防ぐことが出来る。
【発明の効果】
【０００６】これまでも温水洗浄便座や普通のシャワーなどで肛門部外部などを洗浄することは出来たが肛門内や奥の洗浄は不可能であった。本器具の利用により手を汚すことも無く無理なく肛門内の洗浄が出来る。この装置は通常のシャワーの先端器具としてのほかに温水洗浄便座の付属器具としてもあるいは介護用などのトイレの機能向上用としても利用することが出来る。
【図面の簡単な説明】
【図１】本発明の斜視図である。
【図２】本発明の平面図である。
【符号の説明】
１．シャワーノズル先端
２．押し開きリング
３．シャワーノズルパイプ
４．押し開き機能付きシャワーノズル本体
５．給湯口
６．付属手持ちハンドル
【図１】
2006204866.tif 000003
【図２】
2006204866.tif 000004
(57)【要約】【課題】従来の妻楊枝は棒状、又は板状であっても厚さがあり歯間につまった食物の糟（かす）を除去するのに不便であり、糸楊枝もうまく歯間の掃除が出来にくい。【解決手段】うすは楊枝は厚さ０．２ｍｍ以下なので歯間を貫通し、歯間に詰まった食物の糟（かす）をたやすく除去出来ます。又、先端が凸凹（やすり状）なので歯間にたまった歯石の除去にも効果を発揮いたします。【選択図】図３
2006204845.tif 000002
【特許請求の範囲】
【請求項１】
妻楊枝の厚さを極うす（０．２ｍｍ以下）にする。（木・金属・プラステイック・加工紙等原材料の材質は問いません）
【請求項２】
うすは楊枝の平板状の表面を凸凹に加工する。
【請求項３】
うすは楊枝の先端を刀状・フック状等種々の形状に加工する。
【請求項４】
うすは楊枝は歯間の清掃器具（衛生器具）としても商品化可能。
【発明の詳細な説明】
【発明の詳細な説明】
【従来の商品】
【０００１】従来の商品は木製棒状の妻楊枝、竹製の板状の妻楊枝、糸楊枝等が主力で前２者は、歯の上部の穴の開いた部分の掃除は容易であるが歯間（特に奥歯の裏側）に詰まった食物の端材を除去するのは先端の尖った部分で清掃するが、すぐ尖った部分がなくなったり又歯間の隙間に十分機能出来ない。糸楊枝は奥歯の歯間の清掃がやや難しく又歯の上部の穴に詰まった食物の糟（かす）を除去するのに不向きであり、物を刺したりする機能（デパ−トに於ける試食販売等）に欠けます。又、両者とも歯石を除去するのには効果は少ない。
【発明が解決しょうとする課題】
【０００２】この発明は、うすは楊枝のネ−ミングのように妻楊枝の厚さを薄くすることにより楊枝が歯間を貫通することにより歯間の清掃が簡単で確実に食材の糟（かす）を除去でき歯の衛生管理を飛躍的に改善出来ると共に、
【０００１】で述べた不都合も改善致するとともに食品等にさしてつまんだり（デパ−ト試食販売等）する機能もそのまま残ります。
【請求項２の場合】
【０００３】うすは楊枝の先端部分に凸凹（やすり状）することにより歯間の歯石掃除がより確実に出来ます。
【請求項３の場合】
【０００４】うすは楊枝の形状を鉤型（フック状）等に加工する事のより歯の裏側の清掃が確実に行う事が出来ます。
【図面の簡単な説明】
【図１】うすは楊枝の上からの図
【図２】うすは楊枝の横からの図
【図３】うすは楊枝の立体図
【図４】うすは楊枝の先端に凸凹に加工した図（上からの図）
【図５】うすは楊枝の先端を鉤型（フック型）に加工した図
【図１】
2006204845.tif 000003
【図２】
2006204845.tif 000004
【図３】
2006204845.tif 000005
【図４】
2006204845.tif 000006
【図５】
2006204845.tif 000007
(57)【要約】      （修正有）【課題】  火のついた線香の転倒を防ぎ、自然消火する線香立てを提供する。【解決手段】  器１の底に灰５を間隔をあけ上部に金網３をおくことにより、二重にしたことで線香の転倒を防ぎ、さらに線香の火が金網３に達することにより、熱を奪われ自然消火する線香立て。灰５より高い位置に金網３を設け、それに線香を差すことで線香が安定し、線香の火が金網３に達すると火が自動消火するので、転倒による火災を防止できる。燃え残りも灰に埋まらないので、取り出しやすい。【選択図】図３
2006204846.tif 000002
【特許請求の範囲】
【請求項１】
線香を差すことで、該線香へ転倒を防止することができる、不燃網の目を形成する網体と、該網体を内部に入れられた灰の高さよりも高い位置で受けることができる受け部を内部に備えた器からなることを特徴とする線香立て。
【発明の詳細な説明】
【技術分野】
【０００１】本発明は線香の自然消火と転倒を防ぎ燃え残りを灰を奮わずに取り出すことができる線香立てに関する。
【背景技術】
【０００２】  従来は鋳物の容器に線香を立てる為の灰が入っているものと、電池により線香に見立てた上部を光らせる方式がある。
【発明の開示】
【発明が解決しようとする課題】
【０００３】  そのために、次のような問題点があった。
灰に直接線香を立てるため、線香の燃え残りによる灰の硬さにより十分な保持できず転倒し火災になる危険が多々あった。
線香の燃え残りが灰に埋まり灰を奮いにかけ、取り出す手作業があった。
電池付線香立ては火災の防止にはなっても、作りものなだけに故障や電池の取替えの手間、又偽物であるがゆえに味気なく、ご先祖様に気持ちの通じるところがない。
【課題を解決するための手段】
【０００４】  線香を差すことで、該線香へ転倒を防止することができる網の目を形成する網体と、該網体を内部に入れられた灰の高さよりも高い位置で受けることができる受け部を内部に備えた器からなることを特徴とする線香立て。
【発明の効果】
【０００５】  灰より高い位置に網を設け、それに線香を差すことで線香が安定し、転倒による火災を防止できる線香が金網に達すると火が自然消火する
金網と灰の間隔があるため、燃え残りが灰に埋まらず立った状態で取り出しやすい。
【発明を実施するための最良の形態】
【０００６】以下、本発明の実施の形態を説明する。
（イ）器（１）の内面に底部より金網受け支柱（２）を１２０度間隔で３本設ける。
（ロ）ステンレス製金網（３）の外周に枠（４）を設ける
（ハ）金網受け支柱（２）に枠（４）付き金網（３）をのせる
本発明は以上の構成からなっている。
本発明を使用するときは、器（１）に線香の転倒を防ぐための灰（５）をいれる、目安として灰（５）と金網（３）の間隔は１０ミリ〜１５ミリが適当とおもわれる、金網（３）上から火のついた線香を器（１）の底部に達するように立てる。線香が金網（３）に触れると熱が奪われ消える。
燃え残りの線香を取り除くには、枠（４）の一点押すことによりその対辺が浮き上がり、枠付き金網を取はずせる。
線香は灰の上に立っている状態で簡単に除去できる。
【図面の簡単な説明】
【０００７】
【図１】本発明の斜視図
【図２】本発明の分解斜視図
【図３】本発明の断面図
【符号の説明】
【０００８】  １  器
２  金網受け支柱
３  金網
４  枠
５  灰
【図１】
2006204846.tif 000003
【図２】
2006204846.tif 000004
【図３】
2006204846.tif 000005
(57)【要約】【課題】寒い時期に、布団の中で冷え易い両足を簡単に暖めるとともに、心地の良い睡眠を提供出来る寝具。【解決手段】寒冷な場所でも体触りが冷たく感じないムートン生地、毛布生地や遠赤外線練り生地等を内側に使用した、両足を同時に挿入出来る袋状の足専用布団を、敷布団と掛布団の間に置き、就寝する際に両足を挿入する事によって、足の冷えを避け、且つ短時間で暖める事が出来ます。【選択図】図１
2006204850.tif 000002
【特許請求の範囲】
【請求項１】
両足を同時に挿入出来る袋状に作られた足専用布団。
【発明の詳細な説明】
【技術分野】
【０００１】    本発明は、寒い時期に布団の中で冷え易い両足を暖める為の寝具に関する。
【背景技術】
【０００２】足を冷やさずに心地よく眠れる為には、布団乾燥機や電気あんかが使用されたり、靴下の着用をしたり、敷布団と掛布団の間に２枚の毛布が使用されています。
【発明の開示】
【発明が解決しようとする課題】
【０００３】ところで、上述した方法では、布団乾燥機は使用者への体力的経済的な負担が大きく、手軽な電気あんかは消し忘れが生じやすい。片足ずつの靴下等の着用は睡眠する際の心地よさを影響したり、２枚の毛布に挟まれる睡眠も熱さによって不快を感じたりします。
【課題を解決するための手段】
【０００４】両足を同時に挿入出来る、内側が寒冷な場所でも体触りが冷たく感じない素材で作られている、袋状になっている足専用布団を、敷布団と掛布団の間に置く事によって、
【発明の効果】
【０００５】毎日就寝する際に、両足を袋内に挿入するだけで、使用している素材によって足の冷えが避けられ、更に袋状になっている為、短時間で足が暖かくなる事が出来ます。
【発明を実施するための最良の形態】
【０００６】足専用布団の内側は、ムートン生地、毛布生地や遠赤外線練り生地等の体触りが冷たく感じない素材を使用します。
足専用布団の外側は綿生地を使用します。足が熱くなった場合も、足を足専用布団の上に乗せる事によって、睡眠の心地よさを保つ事が出来ます。
足専用布団の下側を上側よりやや長めにする事によって、足の出し入れが簡単に出来ます。足専用布団の幅は、敷布団よりやや小さめな、寝返りする際も余裕のあるサイズにします。
【図面の簡単な説明】
【０００７】
【図１】足専用布団の側面を示した断面図である。
【符号の説明】
【０００８】  １、  体触りの冷たく感じない素材で作られた内側。
２、  綿等の素材で作られた外側。
３、  上側よりやや長めになっている下側の内側と外側の間にポリウレタン等の少し厚みを出せるような素材を一層挟む。
４、  上側の端（袋状の口となっている部分の上半分）が袋の円周の半分より少し絞れるよう、ゴム等の伸びる素材を緩くかけます。
５、  置いた場所から簡単に動かない為、軟性ゴム等の滑り止めを付けます。
【図１】
2006204850.tif 000003
(57)【要約】【課題】  従来の靴の中敷きでは、力を入れよう足の指が内側に曲がった際に指が滑って受け止めることができず、力が分散されるという問題があった。これは、中敷きの表面が平坦で、滑りやすいためである。【解決手段】  靴の中敷きで足の指の付け根から第一関節までの部位に、足の指付け根の形状に沿うよう横方向に弧を描くようにして、山なりに高さ数ミリメートル隆起させた滑り止めを構成した。これにより、力を入れ、足の指が内側に曲がった時に足の指の付け根部付近に設けた隆起に曲がって滑ろうとする足の指全体が受け止められ、それが支点となって力の分散を防止することができる。【選択図】図１
2006204843.tif 000002
【特許請求の範囲】
【請求項１】
足の指の付け根から第一関節部までの部位に足の付け根の形状に沿って、山なりに隆起した滑り止めを設けた靴の中敷き
【発明の詳細な説明】
【技術分野】
【０００１】  本発明は、足の指が無意識に地面を掴もうと内側に曲がる際の指の滑りを止め、足の力を十分に出し易くするための靴の中敷きに関する。
【背景技術】
【０００２】  従来の靴では、靴の内部の中敷きは土踏まずの部分は隆起しているが、その他の部分については平坦であった。
【発明の開示】
【発明が解決しようとする課題】
【０００３】  しかし、従来の平坦な靴の中敷きでは、足の指が内側に曲がったとしても曲がった指が中敷き上で滑って、これを支えることができず、指で地面を掴むような感覚を得られることがなく、素足で地面を掴んだ時に発揮されるような力が分散されるものであった。【０００４】  本発明は、足の指が地面を掴もうとして力が入り、指が内側に曲がったときにその滑りを止め、地面を掴んだ時と同様の効果を与え、十分に力が発揮できるよう実現することを目的とするものである。
【課題を解決するための手段】
【０００５】  そして、本発明は上記目的を達成するために靴の中敷き本体の足の指の付け根から第一関節までの部位に、足の付け根の形状に沿って横方向に弧を描くよう、高さ数ミリメートルの山なりの滑り止めとなる隆起を設けたものである。、【０００６】  上記の課題解決手段による作用は次の通りである。すなわち、力を入れた時に足の指が内側に曲がるが、この時に靴の中敷き本体に設けた隆起が滑り止めとなって曲がった指が当たり、そこが力の支点となって支えることができるので、足の裏で地面を掴んだのと同様の状態になって力の分散を防止することができる。
【発明の効果】
【０００７】  上述したように本発明の中敷きを取り入れた靴を履いていれば、力を入れて行動する際に足の指が無意識に地面を掴もうと内側に曲がったとしてもその力を支えることができ、その力を身体に十分伝達することが提供できる。【０００８】  また、瞬時に力の発揮を必要とするスポーツの場合には足のつま先に入れた力が分散されずに力の伝達が効果的にできることから、足首や膝への負担が軽減されるものである。
【発明を実施するための最良の形態】
【０００９】  以下、本発明の実施の形態を図１と図２に基づいて説明する。【００１０】  図においては、１は中敷き本体で、２は滑り止め。【００１１】  滑り止め２は、靴の中敷き本体１の足の指の付け根から第一関節部までの部位に、足の付け根の形状に沿って横方向に一直線ではなく、先端方向に弧を描くようにして、山なりに高さ数ミリメートル隆起させた形状で設ける。【００１２】  滑り止め２の山なりに隆起させた形状は、中敷き１のつま先側は鋭角に、かかと側はなだらかになるようになった台形状の形状にする。【００１３】  以下、上記構成の動作を説明する。靴を履いて行動しているときに力を入れようとして足の指が内側に曲がった瞬間、足の指の付け根部付近に設けた山なりに隆起した滑り止め２の鋭角な部分に曲がった足の指全体が当たり、足の指に入った力を受け止め、それが支点となって力の分散を防止することができる。
【図面の簡単な説明】
【００１４】
【図１】  本発明の平面図である。
【図２】  本発明の隆起した形状を示した断面図である。
【符号の説明】
【００１５】  １  中敷き本体
２  滑り止め
【図１】
2006204843.tif 000003
【図２】
2006204843.tif 000004
(57)【要約】【課題】  足の運動能力を簡単に判定するための足底屈筋力測定装置の提供【解決手段】  左右いずれかの足を乗せるステップと、高さを調節して膝を固定できるブロックと、高さおよび位置を調節できる椅子を備え、椅子に腰を掛けた被験者が、足先でステップを押し下げたときの力を測定することによって、足の運動能力を簡単に判定することができる足底屈筋力測定装置。【選択図】  図１
2006204844.tif 000002
【特許請求の範囲】
【請求項１】
床面に置かれたフレームに、椅子に腰を掛けた人体の左右いずれかの足を乗せるステップと、ステップに乗せた足の膝の上部を固定するためのブロックを設け、該ステップにステップの上方から加えられた荷重を測定するための測定装置を接続することによって、椅子に腰を掛けた人体の足先を下方に押し下げた時に生じる足底屈筋力を測定することができる足底屈筋力測定装置。
【発明の詳細な説明】
【技術分野】
【０００１】  本発明は、足の運動能力を測定するための足底屈筋力測定装置に関する。
【背景技術】
【０００２】  従来は足底屈筋力を測定するための装置はなかった。
【発明の開示】
【発明が解決しようとする課題】
【０００３】  特に高齢者の健康寿命を延長させ、また病弱者の運動機能回復を促進させるために、運動療法やリハビリテーションなどによる、足の運動能力や機能の改善状況を簡単に測定し、本人に改善効果を認識させて動機付けを与えるとともに、より効果的な運動訓練を行うための判断材料を得る測定装置が必要とされている。
【課題を解決するための手段】
【０００４】  本発明による足底屈筋力測定装置は、床面に置かれたフレームに、椅子に腰を掛けた人体の左右いずれかの足を乗せるステップを設け、ステップに乗せた足の位置および押し下げる方向を常に一定にし、かつ膝が浮き上がらないように、膝の上部を固定するための下向きに凹形のブロックを設け、ステップに乗せた足先によって上方から加えられた荷重を測定するための測定装置をステップに接続することによって、椅子に腰を掛けた人体の足先を下方に押し下げた時に生じる足底屈筋力を、簡単かつ正確に測定することができる。
【発明の効果】
【０００５】  特に高齢者や病弱者が健康な日常生活に復帰するために、歩行や段差の上り下りなどの足の運動能力の中で、足首を中心に足先を押し下げる足底屈筋力の改善が重要である。このため本発明は、安価な装置で簡単に足底屈筋力測定を行うことができるため、被験者や装置の保有者あるいは操作担当者に負担を掛けずに、運動療法やリハビリテーションなどによる、足先の運動能力や機能の改善状況を測定し、本人に改善効果を認識させて動機付けを与えるとともに、より効果的な運動訓練を行うための判断材料を得ることができる効果がある。
【発明を実施するための最良の形態】
【０００６】  膝の上部を固定するための下向きに凹形のブロックは、被験者の体型に合わせてステップからの高さを調節することができる構造にすること、また被験者の腿はほぼ水平になるようにし、膝の角度はほぼ直角になるように、椅子の位置や高さが決められるような構造にする必要がある。【０００７】  またステップは、足底屈筋力を正確に測定するために、踵の近傍に支点を設け、爪先に向かって３０°乃至４０°となるように迎角を設け、ステップの先端部に荷重測定装置を接続する構造とすることが望ましい。
【実施例】
【０００８】  図１は、本発明の足底屈筋力測定装置の使用状態における側面図である。【０００９】  床面に置かれたフレーム１の下部に、披験者２の左右いずれかの足３を乗せるためのステップ４を、披験者２の踵の近傍に設けた水平回転軸５を支点として、前後方向に回転できるように、また爪先に向かって迎角が３０°乃至４０°となるようにして取り付け、ステップ４に乗せた足先によって上方から加えられた荷重を測定するための測定装置６をステップ４の先端部７とフレーム１の間に接続する。【００１０】  フレーム１にはまた、足３の膝の上部を固定するための下向きに凹形のブロック８が、ステップ１からの高さが調節できるように、送り捩子などの機構９を介して取り付けられる。【００１１】  椅子１０は、披験者２が足底屈筋力の測定に際して腰を掛け、左右いずれかの足３をステップ４に乗せた時、腿がほぼ水平となり、かつ膝の角度がほぼ直角になるように、座面の高さの調節機構１１および位置の調節機構１２を介してフレーム１に取り付けられる。
【図面の簡単な説明】
【００１２】
【図１】  本発明の足底屈筋力測定装置の使用状態における側面図である。
【符号の説明】
【００１３】（１）    フレーム
（２）    被験者
（３）    被験者の左右いずれかの足
（４）    ステップ
（５）    ステップの水平回転軸
（６）    荷重測定装置
（７）    ステップの先端部
（８）    被験者の膝を固定するブロック
（９）    膝を固定するブロックの高さを調節する送り捩子
（１０）  椅子
（１１）  椅子の座面の高さの調節機構
（１２）  椅子の位置の調節機構
【図１】
2006204844.tif 000003
(57)【要約】【課題】洗濯物に用いるハンガーの形状は、洗濯ばさみと独立しているので衣類のシャツ等の首周りの、伸びがふさぎにくく、また、風などで洗濯バサミや洗濯物が落ちることがあった。さらに、洗濯ばさみをハンガーとは別に収納保管するのも干す度に取り出さなければならなかった。【解決手段】ハンガー本体と洗濯ばさみを一体化させるために、ハンガーのフック部の下に、ベルト付の洗濯ばさみを両側に２本取り付け一体化させる。両端のクリップ部の形状も複数設けて良い。【選択図】図１
2006204847.tif 000002
【特許請求の範囲】
【請求項１】
ハンガーのフック部の下より、両サイドに２本ベルト付洗濯ばさみを付けたハンガー。
【請求項２】
前記ベルトの部分は、取付箇所からハンガーの端までの長さより短めである事を特徴とする請求項１記載の洗濯ばさみ付ハンガー。
【請求項３】
ベルト付洗濯ばさみは取替可能な形態にしてあることを特徴とする請求項１記載の洗濯ばさみ付ハンガー。
【発明の詳細な説明】
【技術分野】
【０００１】この発明は、洗濯物を干す時に用いるハンガーの形状に関する。
【背景技術】
【０００２】従来の洗濯干しに用いるハンガーの形状は、図２に示すように、洗濯ばさみと繋がっておらず、洗濯ばさみ２を洗濯物３の上から独立して使用するよう設けられたものである。
【発明の開示】
【発明が解決しようとする課題】
【０００３】しかしながら、以上の技術によれば、洗濯ばさみがハンガーの両端部分から下に落ちやすく、シャツ等の首の部分が伸びやすくなるうえ、特に風が強いときは、洗濯物が下に落ちることがあった。さらに洗濯ばさみをその都度置いてある場所から取る動作も洗濯物の量が多い時は大変であった。そこで、この発明は、洗濯ばさみが落ちず、洗濯物の形状を保ち、洗濯ばさみを取りに行く手間を省いた洗濯ばさみ付ハンガーを提供することを課題とする。
【課題を解決するための手段】
【０００４】  以上の課題を解決するために、第一発明は、ハンガーのフック部の下に、ベルト付の洗濯ばさみを取り付けたハンガー。洗濯ばさみ部分は壊れても取替可能な形状にする。
【発明の効果】
【０００５】  第一発明によれば、洗濯物の形状を保ちやすくし、シャツなどの衣類の首回りの伸びを防ぐ事が出来る。さらに、強風による洗濯物の落下を防ぐ事も出来るし、ハンガーと一体化する事によって、洗濯ばさみの収納も楽になる。更に洗濯物が多い時には、靴下やハンカチなどの小物が１本のハンガーで同時に干せ、干す場所を有効に使える。
【発明を実施するための最良の形態】
【０００６】  この発明の一実施形態を、図１に示す。
洗濯ばさみ付ハンガー本体１は通常家庭で使用されているフック部のついた三角のハンガーであり、この本体１のフック部分のから両サイドにベルト付洗濯ばさみ２を取付け一体化させたものである。そして、洗濯物３を洗濯ばさみ付ハンガー本体１にかけた時にベルト付洗濯ばさみ２で止めるよう設けられている。【０００７】「実施形態の効果」
この実施形態によれば、ベルト付洗濯ばさみ２の働きで、洗濯物３の形状を保ちやすい。したがって、衣類の伸びを防ぐ事が出来る。強風が吹いてもハンガー本体と一体化しているのでベルト付洗濯ばさみ２も洗濯物３も飛んでいかない。【０００８】「他の実施形態」
図１の実施形態では、洗濯ばさみ付ハンガー本体１にかけた洗濯物３をベルト付洗濯バサミ２でとめていたが、他の実施形態では、ハンガーにかけた洗濯物と別の洗濯物をベルト付洗濯ばさみ２でとめても良い。干す場所を取らずにすむ。
【図面の簡単な説明】
【０００９】
【図１】この発明の一実施形態を示す斜視図である。
【図２】従来技術を示す斜視図である。
【符号の説明】
【００１０】１  洗濯ばさみ付ハンガー本体    ２  ベルト付洗濯バサミ    ３  洗濯物    ４  従来の洗濯バサミ    ５  従来のハンガー
【図１】
2006204847.tif 000003
【図２】
2006204847.tif 000004
(57)【要約】      （修正有）【課題】下腹部の奥の大腰筋と腸骨筋の萎縮による腰の曲りと腰周囲筋の疲れや痛み等又、体重圧迫により肩凝り腕の痛みを解消する寝具マットを提供する。【解決手段】仰臥位で寝る場合に、腰の曲った人、腰に強い疲れのある人には、腰から臀部の当る部分に又横臥位に寝る場合肩や腕に体重圧が掛るため痛みや疲れが必ず出る事が多い、そのために腰や臀部の下に又、肩や腕の下に低圧発泡ウレタンフォーム１，２，３又は海綿状のスポンジー等の柔らかい物質を敷詰める。【選択図】図１
2006204874.tif 000002
【特許請求の範囲】
【請求項１】
（イ）縦長の直方体からなる本体蒲団を、三部に分けて、上中下の横長の直方体の蒲団を設ける。（ロ）上部の横長直方体の蒲団及び、中部の横長直方体蒲団には、部分的に体重圧の掛かる処に、低圧発泡ウレタンフォーム又は海綿状のスポンジ―等を敷詰めて内臓用蒲団を設ける。（ハ）上部及び中部横長直方体蒲団の部分的に体重圧の掛る処以外は、中圧発泡ウレタンフォームを使用する。（ニ）下部の横長直方体の蒲団には、中圧発泡ウレタンフォームを敷詰め内臓用蒲団を設ける。（ホ）上中下の横長直方体の表用蒲団カバーには、上中下内臓用蒲団の出シ入レが自在にできるように、三方にファスナーを取付ける。（ヘ）上中下横長直方体蒲団の表用蒲団カバーの下側には、上中下の三部一体の縦長直方体の蒲団を構成するために、マジックベルトを取り付け接続する。以上の構成よりなる肩凝り、腕痛及び腰痛、腰曲り予防寝具
【発明の詳細な説明】
【技術分野】
【０００１】本発明は、鼠径部の腸骨筋及び下腹部の大腰筋の萎縮を防ぎ、腰の痛みや腰曲り又肩の凝り腕の痛みを解消して、毎日の疲れを抑制する寝具マットである。
【背景技術】
【０００２】従来の蒲団は、就寝すれば安眠できる蒲団として、総体的に柔らかな作りのものが多く又反対に、柔らかくては、疲れが出るからと考えて固い作りのものも作られていた。何も、就寝時に誠の疲れを取るために考えられて作られた蒲団は無かった。
【発明開示】
【発明が解決しようとする課題】
【０００３】そのため次のような間題点があった（イ）仰臥位で寝た時、蒲団が柔らかすぎて疲れが出やすい。（ロ）腰の悪い人には、柔らかすぎては、疲が増すだけになる。（ニ）固い蒲団の場合、痛みのある腰には、安眠することができない。（ホ）固いものや柔らかすぎる蒲団の場合にも、体に合わない蒲団の場合には、疲れがとれない。本発明は、これらの問題点を解決するためになされたものである。
【課題を解決するための手段】
【０００４】仰臥位で寝る場合に、腰の曲った人、腰に強い疲れのある人には、腰から臀部の当る部分に又横臥位に寝る場合肩や腕に体重圧が掛るため痛みや疲れが必ず出る事が多い。そのために腰や臀部の下に又は肩や腕の下に低圧発泡ウレタンホーム又は海綿状のスポンジー等の柔らかい物質を敷詰める。
【発明の効果】
【０００５】寝る場合、腰の曲った人に又腰の疲れのある人に、腰から臀部の処に柔らかい物質を敷くことで、臀部が沈むため足が伸びて腰曲りが少しづつ戻ってゆき腰の疲れも消える又横臥位で寝る場合、体重圧によって腕や肩が必ず痛みや疲れが出る此の場合にも柔らかい物質を敷詰めることによって全ての痛みと疲れは解消する。
【発明を実施するための最良の形態】
【０００６】以下本発明の実施の形態について説明する（イ）縦長の直方体からなる本体蒲団を、三部に分けて、上中下の横長の直方体の蒲団（４）（５）（６）を設ける。（ロ）上部の横長直方体の蒲団４及び中部の横長直方体蒲団５には部分的に体重圧の掛る（１）（２）（３）の処に、低圧発泡ウレタンフォーム、又は海綿状のスポンジー等を敷詰めて内臓用蒲団を設ける。（ハ）上部及び中部横長直方体蒲団の部分的に体重圧の掛る処以外は、中圧発泡ウレタンフォームを使用する。（ニ）下部の横長直方体の蒲団には、中圧発泡ウレタンフォームを敷詰め内臓用蒲団を設ける（ホ）上中下の横長直方体の表用蒲団カバーには、上中下内臓用蒲団の出シ入レが自在にできるように、三方にファスナー（８）を取り付ける。（ヘ）上中下横長直方体蒲団の表用蒲団カバーの下側には、上中下の三部一体の縦長直方体の蒲団を構成するために、マジックベルト（９）を取り付け接続する。本発明は以上の構成からなるので、本発明を使用するときには肩凝り腕痛及び腰痛腰曲り予防寝具を、充分に活用頂くために、敷蒲団を更に使用する場合には、予防寝具の効果を損うことのないように、できる限りうすい蒲団を使用する。
【図面の簡単な説明】
【０００７】
【図１】は、本発明の正面図
【図２】は、本発明の斜視図
【図３】は、本発明の下面図
【符号の説明】
【０００８】１  ２  ３は、低圧発泡ウレタンフォーム４  ５  ６は、蒲団７は、枕部８は、ファスナー９は、ベルト
【図１】
2006204874.tif 000003
【図２】
2006204874.tif 000004
【図３】
2006204874.tif 000005